(57)【要約】  本発明の実施例による宅配保管ボックスは、パスワードを入力することができる入力部；使用者の端末機番号及び安心宅配番号を保存するメモリ部；上記入力部から入力されるパスワードを有無線通信網を介して上記メモリ部に保存されている端末機に伝送する通信モジュール；及び、上記メモリ部に保存されている端末機から認証信号が受信されると、ロック装置がロック解除されるように制御する制御部；が提供される。【選択図】      図２
2017527717.tif 000002
【特許請求の範囲】
【請求項１】
保存スペース及び上記保存スペースの開閉用ドアを備える宅配保管ボックスであり、
上記ドアをロックすることができるロック装置；
検証用パスワードを入力することができる入力部；
上記宅配保管ボックスの使用者の端末機番号、安心宅配番号、及び送り状番号を保存するメモリ部；
使用者の端末機と両方向通信を行う通信モジュール；
上記宅配保管ボックスの状態を表示することができる表示部；及び、
制御部；を含み、
上記制御部は、
上記入力部を通して入力された検証用パスワードを上記通信モジュールを介して予め登録された端末機に伝送し、
上記検証用パスワードの伝送後、既に設定された時間内に上記検証用パスワードの伝送を受けた端末機から認証信号が受信されると、上記ロック装置をロック解除し、
上記検証用パスワードの伝送後、既に設定された時間内に上記パスワードの伝送を受けた端末機から認証信号が受信されなければ、送り状番号を入力せよとのメッセージを上記表示部に表示し、
送り状番号が入力されると、入力された送り状番号と上記メモリ部に予め保存されている送り状番号とを比較して、一致する場合は上記ロック装置をロック解除するように制御する、宅配保管ボックス。
【請求項２】
宅配保管ボックス周辺の動きが感知されると録画を始める映像録画部を更に含むことを特徴とする請求項１に記載の宅配保管ボックス。
【請求項３】
上記制御部は、上記ロック装置がロック解除された後に再びロックされる場合は、受領用パスワードを生成するように制御することを特徴とする請求項１に記載の宅配保管ボックス。
【請求項４】
宅配保管ボックスを用いた宅配受領方法において、
上記宅配保管ボックスが入力部、メモリ部、表示部、通信モジュール、保存スペース、上記保存スペースを開閉するためのドア、及び上記ドアをロックすることができるロック装置を含み、
上記入力部を通して検証用パスワードの入力を受ける段階；
上記入力された検証用パスワードを上記通信モジュールを介して予め登録された端末機に伝送する段階；
上記検証用パスワードの伝送後、既に設定された時間内に上記登録された端末機から認証信号が受信されると、ロック装置をロック解除し、既に設定された時間内に認証信号が受信されなければ、送り状番号を入力せよとのメッセージを上記表示部に表示する段階；
上記入力部を通して送り状番号の入力を受ける段階；及び
入力された送り状番号と上記メモリ部に予め保存されている送り状番号とを比較して、一致する場合は上記ロック装置をロック解除する段階；を含むことを特徴とする宅配保管ボックスを用いた宅配受領方法。
【請求項５】
上記ロック装置がロック解除された後、再びロックされると、受領用パスワードを生成する段階；及び
上記生成された受領用パスワードを登録された端末機に伝送する段階；を更に含むことを特徴とする請求項４に記載の宅配保管ボックスを用いた宅配受領方法。
【請求項６】
有無線通信モジュールを含む宅配保管ボックスから、検証用パスワードを移動端末機で受信してこれを認証するパスワード認証方法であり、
インターネットを介して検証用パスワードを受信する段階；
上記受信された検証用パスワードが上記移動端末機に保存されている既設定パスワードと一致するか否かを確認する段階；
確認の結果、一致する場合、検証用パスワードが受信されたことを表示する段階；及び
使用者から認証信号が入力されると認証信号を上記宅配保管ボックスに伝送する段階；を含むことを特徴とするパスワード認証方法。
【請求項７】
既に設定された時間の間に使用者から認証信号が入力されなければ、受信された検証用パスワードと保存されている既設定パスワードとを比較して、一致する場合は認証信号を上記宅配保管ボックスに伝送する段階を含むことを特徴とする請求項６に記載のパスワード認証方法。
【発明の詳細な説明】
【技術分野】
【０００１】
本発明は、宅配保管ボックスに関し、より具体的には、有無線通信モジュールを装着した宅配保管ボックス及びこれを用いた宅配受領方法に関する。
【背景技術】
【０００２】
宅配サービスは、物品を発送する差出人が宅配運送可能な場所で宅配運送を要請すると、宅配会社は物品を受け取り受領人の住所地まで行って物品を伝達する方式を取っている。
【０００３】
一般に、宅配物の伝達時、受領人本人や周辺の人に伝達することになる。しかし、受領人本人や周辺の人がいない場合は、宅配物の伝達が困難である。アパートの場合、警備室または管理室を通して宅配物を受け取ることもあるが、受領人本人や周辺の人がいない場合は、宅配物の伝達のために配達員が数回再訪問しなければならないという問題点がある。また、受領人は宅配を受け取るために待機しなければならないという不便もある。
【０００４】
一方、最近になって配達員を装って家庭内に侵入し各種犯罪行為を犯す事例が増えていて、これを源泉的に予防できる方法も求められている。したがって、受領人の不在時も宅配物を受領することができ、家庭または職場に受領者がいるとしても配達員と直接対面することなく宅配物を安全に受け取ることができる宅配システムが至急求められている。
【０００５】
従来にも無人宅配サービスに関する特許が一部出願されている。例えば、下記特許文献１では、固有の識別情報を有し近距離無線通信を介したパスワード入力時に開放される保管ボックス；上記識別情報及び電話番号を含むパスワード要請信号をネットワークを介して送信して上記パスワードを受信し、受信された上記パスワードを上記保管ボックスに近距離無線通信方式で入力するスマート端末；及び、上記スマート端末の電話番号、上記保管ボックスの識別情報及びパスワードが保存され、上記スマート端末から上記パスワード要請信号が受信された場合、上記パスワード要請信号に含まれた電話番号が既に保存されている上記スマート端末の電話番号と一致するかを確認し、上記電話番号が一致する場合、上記パスワード要請信号に含まれた上記識別情報に従って上記パスワードを検索し上記スマート端末に送信する無人宅配管理サーバーを含む無人宅配保管ボックスシステムが開示されている。
【０００６】
しかし、上記特許文献１では、依然として運用サーバーが必要であるため、多くのシステム構成費用及び管理費用がかかるという問題点がある。
【先行技術文献】
【特許文献】
【０００７】
【特許文献１】韓国公開特許公報第１０−２０１５−００２０９２６号（２０１５.０２.２７）
【発明の概要】
【発明が解決しようとする課題】
【０００８】
本発明が解決しようとする課題は、宅配保管ボックスにモノのインターネット（Internet  of  Things：ＩｏＴ）技術を結び付けて宅配保管ボックスが受領者端末機と直接通信し、宅配受領者の命令によってドアを開閉することができる宅配保管ボックス及びこれを用いた宅配受領方法を提供することである。
【課題を解決するための手段】
【０００９】
上記技術的課題を解決するために、本発明の実施例による宅配保管ボックスは、保存スペース、上記保存スペースを開閉するためのドア、及び上記ドアをロックすることができるロック装置を含む。上記宅配保管ボックスは、さらに、パスワードを入力できる入力部；使用者の端末機番号及び安心宅配番号を保存するメモリ部；上記入力部から入力されるパスワードを有無線通信網を介して上記メモリ部に保存されている端末機に伝送する通信モジュール；及び、上記メモリ部に保存されている端末機から認証信号が受信されると、ロック装置がロック解除されるように制御する制御部；を含むことができる。
【００１０】
上記宅配保管ボックスは、宅配保管ボックスの状態を表示する表示部；及び、宅配保管ボックス周辺の動きが感知されると録画を始める映像録画部；を更に含むことができる。
【００１１】
上記メモリ部は送り状番号を更に保存し、上記制御部は、既に設定された時間の間に上記認証信号が受信されなければ、送り状番号を入力せよとのメッセージが上記表示部に出力されるように制御し、送り状番号が入力されると、上記保存されている送り状番号と一致するか否かを確認し、一致する場合は上記ロック装置がロック解除されるように制御することができる。
【００１２】
上記制御部は、上記ロック装置がロック解除された後に再びロックされる場合は、新しいパスワードを生成するように制御することができる。
【００１３】
また、本発明の実施例による宅配保管ボックスを用いた宅配受領方法は、パスワードの入力を受ける段階；上記入力されたパスワードを有無線インターネットを介して予め登録された端末機に伝送する段階；及び、上記登録された端末機から認証信号が受信されるとロック装置をロック解除する段階；を含むことができる。
【００１４】
上記宅配受領方法は、上記ロック装置がロック解除された後、再びロックされると新しいパスワードを生成する段階；及び、上記生成されたパスワードを登録された端末機に伝送する段階；を更に含むことができる。
【００１５】
上記認証信号は、上記登録された端末機で生成される信号であり、使用者が受信された番号を確認して入力した信号であるか、端末機が端末機に保存されている番号と比較して一致する場合に端末機が自ら発生させた信号であり得る。
【００１６】
上記パスワードの伝送後、既に設定された時間の間に認証信号が受信されない場合は、送り状番号の入力を受け、入力された送り状番号と保存されている送り状番号とを比較して一致する場合、上記認証信号を発生させることができる。
【００１７】
また、本発明の実施例によるパスワード認証方法は、有無線通信モジュールを含む宅配保管ボックスから、パスワードを移動端末機で受信してこれを認証するパスワード認証方法であり、インターネットを介してパスワードを受信する段階；上記受信されたパスワードが上記移動端末機に保存されているパスワードと一致するか否かを確認する段階；確認の結果、一致する場合、パスワードが受信されたことを表示する段階；及び、使用者から認証信号が入力されると認証信号を上記宅配保管ボックスに伝送する段階；を含むことができる。
【００１８】
上記認証方法は、既に設定された時間の間に使用者から認証信号が入力されなければ、受信されたパスワードと保存されているパスワードとを比較して一致する場合は認証信号を上記宅配保管ボックスに伝送する段階を含むことができる。
【００１９】
上記認証信号は、上記移動端末機の電話番号または安心宅配番号であり得る。
【発明の効果】
【００２０】
本発明によれば、宅配受領者が不在中の場合も宅配を紛失する恐れなしに安全に宅配を受領することができる。
【００２１】
また、本発明によれば、配達員や宅配受領者以外には知り得ない安心宅配番号または送り状番号を使用することで、より安全に宅配を受領することができる。
【００２２】
また、本発明によれば、別途のサーバーを構築する必要がないため低コストで安全な宅配受領システムを構築することができる。
【００２３】
また、本発明によれば、集団型宅配保管ボックスに適用することができ、一つの宅配保管ボックスに多数の使用者が登録されている場合も実際の受領者だけが受領事実を確認しパスワードを認証することができる。
【図面の簡単な説明】
【００２４】
【図１】本発明の一実施例による宅配保管ボックスシステムを概略的に示した構成図である。
【図２】本発明の一実施例による宅配保管ボックスのブロック図である。
【図３】本発明の一実施例による宅配保管ボックスを用いた宅配受領方法を示したフローチャートである。
【図４】本発明の一実施例によるパスワード認証方法を示したフローチャートである。
【発明を実施するための形態】
【００２５】
以下では本発明の具体的な実施例を図面と共に詳しく説明する。しかし、本発明の思想が提示される実施例に制限されるわけではなく、他の構成要素の追加、変更、削除などによって、退歩的な他の発明や、本発明の思想の範囲内に含まれる他の実施例を容易に提案することができる。
【００２６】
本発明で用いられる用語は、なるべく現在広く用いられている一般的な用語を選択したが、特定の場合は出願人が任意に選定した用語もあり、この場合は該当する発明の説明部分で詳しくその意味を記載したため、単純な用語の名称ではない用語が有する意味として本発明を把握しなければならないことを明記しておく。
【００２７】
図１は、本発明の実施例による宅配保管システムの構造を示したブロック図であり、図２は、宅配保管ボックスの詳細ブロック図である。
【００２８】
本発明による宅配保管システムは、宅配保管ボックス１００と移動端末機２００を含んで構成される。
【００２９】
上記宅配保管ボックス１００は、入力部１１０、通信モジュール１２０、メモリ部１３０、ロック装置１４０、表示部１５０、映像録画部１６０、警告信号発生部１７０、電源供給部１８０、及び制御部１９０を含むことができる。
【００３０】
上記入力部１１０は、例えばキーパッドで構成され、ドアを開閉するためのパスワード及び各種情報を入力することができる。本明細書で用いられるパスワードは、次に説明する５種類のパスワードを含む。一番目は、宅配受領者が予め設定したパスワード（以下、‘事前設定パスワード'
と言う）であり、例えば受領者の電話番号、安心宅配番号、または送り状番号であり得る。もし宅配保管ボックスに何らの物品も保管されなければ、使用者はこのパスワードで宅配保管ボックスを開くことができる。二番目は、配達員が宅配保管ボックスのドア開放の許諾を受けるために入力部１１０を通して入力するパスワード（以下、‘検証用パスワード'
と言う）である。三番目は、宅配受領者の端末機に保存され、配達員が入力した検証用パスワードが正確かを判別するのに用いられるパスワード（以下、‘既設定パスワード' と言う）である。四番目は、後述するように、一番目の宅配が完了した後、制御部１９０によって新たに生成されたパスワード（以下、‘受領用パスワード'
と言う）であり、これは宅配保管ボックスの使用者、すなわち宅配受領者が宅配物の保管されている宅配保管ボックスを開くために使用するパスワードである。五番目は、宅配物の瑕疵や変心などを理由に品物を返品しようとする時に用いられるパスワード（以下、‘返品用パスワード'と言う）であり、使用者が宅配物を注文した業者や宅配会社に伝達し配達員がこのパスワードを通して宅配保管ボックスを開くことができるようにする。
【００３１】
上記通信モジュール１２０は、配達員によって入力部１１０から入力された検証用パスワードを有無線通信網を介してインターネットに接続して予め登録された端末機に伝送する。登録された端末機は、宅配受領者の移動端末機であり得る。登録された端末機が複数個の場合、複数個の端末機全てに上記入力部１１０から入力された検証用パスワードを伝送する。本発明では、インターネット接続が可能な有無線ＬＡＮカードのような通信モジュールを使用することにより、宅配受領者にショートメッセージ（ＳＭＳ）を発送するのではなくインターネットでデータを伝送することができる。したがって、単純に検証用パスワードなどのような情報を伝送するだけでなく、映像録画部１６０に録画される動画も通信モジュール１２０を介してリアルタイムで伝送することができる。
上記メモリ部１３０には、配達員の訪問前に、例えば入力部１１０を通して、宅配受領人の電話番号が保存される。すなわち、登録された端末機の電話番号が保存される。例えば、一つの宅配保管ボックスを複数の使用者が共同で使用するなどの場合は、上記メモリ部１３０に複数個の端末機番号が保存されることもできる。その他にも安心宅配番号や送り状番号を含んで事前設定パスワードが保存されることができ、後述するように受領用パスワードや返品用パスワードが保存されることができる。
【００３２】
上記ロック装置１４０は、宅配保管ボックスのドアのロックまたは開放を可能にする装置であり、制御部１９０の制御によって開放信号が入力されるとドアを開放し、開放されたドアが閉まると再び自動でロックできるようにする。配達員が入力した検証用パスワード（例えば、宅配受領者の電話番号または安心宅配番号）が宅配受領者の端末機に伝送されると、宅配受領者はこれを確認し、物品注文時に通知した（例えば、宅配注文時に該当ウェブページにメモとして残しておいた）自身の電話番号または安心宅配番号と一致する場合、ドア開放命令を宅配保管ボックス１００に伝送し、宅配保管ボックス１００は通信モジュール１２０を介してこれを受信しドアを開放するのである。
【００３３】
上記表示部１５０は、宅配保管ボックス１００内の宅配物保管有無のような情報を表示する部分であり、宅配物保管有無によって‘保管中’または‘空’というメッセージが表示されることができる。表示部１５０は、ＬＣＤパネルなどのディスプレイ素子が使用され得る。また、表示部１５０は、タッチスクリーン形態に製作されることができ、そのときは上記入力部１１０が表示部１５０の一部分に形成されることができる。表示部１５０は、上記メッセージの他にも必要な色々なメッセージを表示することができる。例えば、配達員が入力した検証用パスワードを登録された端末機に伝送した後、所定時間経過後もドア開放命令信号が受信されなければ、‘＊を二回押した後、送り状番号を入力して下さい’というメッセージを表示することもできる。送り状番号が入力されると、制御部１９０は入力された送り状番号とメモリ部１３０に保存されている送り状番号とを比較して一致するか否かを確認し、一致する場合はロック装置１４０がロック解除されるように制御する。
【００３４】
上記映像録画部１６０は、カメラモジュール及び保存部を含む映像録画装置であり、宅配保管ボックス周辺の映像を撮影し録画する。この時、撮影中というメッセージをＬＥＤランプで表示して訪問者がカメラ動作中であることを認知できるようにすることが可能である。映像録画部１６０は、宅配保管ボックスの周囲に人が接近したり動きが感知されるときにだけ録画し、録画が始まると通信モジュール１２０を介して録画される内容をリアルタイムで登録された端末機に伝送して使用者がこれを確認できるようにすることが可能である。選択的に、制御部１９０は、入力部１１０から入力信号が入力される場合に限ってのみ、録画を開始したり録画される内容を登録された端末機に伝送したりすることもできる。また、動きを感知するためにはセンサーが必要であるが、センサーは、上記映像録画部１６０と一体形成されてもよく、別途形成されて宅配保管ボックス１００のある一部分に装着されてもよい。映像録画部１６０を通して宅配保管ボックス１００の周辺状況を録画することにより、訪問者がカメラを毀損しても訪問者を確認することができる。
【００３５】
上記警告信号発生部１７０は、指定された回数以上のパスワード入力エラーまたはドアを無断で開閉しようとする場合に警告信号を発生させることができる。警告信号発生部１７０は、ＬＥＤランプのような点滅灯やスピーカーなどが使用され得る。警告信号が発生する場合、上記通信モジュール１２０は警告信号が発生したことを上記登録された端末機に伝送することができる。警告発生メッセージが上記表示部１５０に表示されることもできる。
【００３６】
上記電源供給部１８０は、宅配保管ボックス１００の作動に必要な電源を供給するための装置であり、外部から印加される交流電源またはバッテリーが使用され得る。
【００３７】
上記制御部１９０は、宅配保管ボックス１００の全体動作を制御する部分であり、先に説明した各構成が動作できるように全般的な動作を制御する。
【００３８】
図３は、本発明の一実施例による宅配保管ボックスの動作方法を示したフローチャートである。
【００３９】
以下では、図２及び図３を参考に、本発明による宅配保管ボックスの動作方法を説明することにする。
【００４０】
配達員が宅配保管ボックス１００の近くに接近すると、映像録画部１１０に装着されたセンサーが動きを感知して録画が開始され、制御部１９０は録画が開始されることを通信モジュール１２０を介して宅配受領者に伝送する。このような録画開始信号の伝送は、後述する検証用パスワードの伝送と共になされるのが望ましいが、これに限定されるものではない。このとき、宅配受領者の電話番号は先に考察したようにメモリ部１３０に保存されているため、保存されている番号に伝送することができる。複数個の電話番号が保存されている場合は複数個の番号に伝送することも可能である。
【００４１】
配達員は入力部１１０を通して検証用パスワード（例えば、宅配受領者の電話番号または安心宅配番号）を入力する（Ｓ３１０）。このとき、検証用パスワード（例えば、宅配受領者の電話番号または安心宅配番号）は、上述のように物品注文時にメモとして残しておいて配達員が予め知り得るようにすることが望ましい。配達員が検証用パスワード（例えば、宅配受領者の電話番号または安心宅配番号）を入力すると、制御部１９０が通信モジュール１２０を介して宅配受領者に入力された検証用パスワードを伝送する（Ｓ３２０）。複数個の電話番号が使用者として登録されているならば、複数個の電話番号全てに入力された検証用パスワードを伝送することができる。一方、図示していないが、配達員が検証用パスワードとして宅配受領者の電話番号を入力する場合、該当電話番号にだけ検証用パスワードを伝送するように構成することも可能である。
【００４２】
検証用パスワードが伝送された後は、検証用パスワードを受信した端末機で認証手順を経て認証信号を宅配保管ボックスに伝送する。認証手順については後述することにする。宅配保管ボックス１００は、配達員が入力した検証用パスワード伝送後に認証信号の受信を待機し（Ｓ３３０）、認証信号が受信されると（Ｓ３４０）、ロック装置をロック解除する（Ｓ３５０）。通信障害などの理由で認証信号が受信されなければ、所定の設定時間が経過したかを判断し（Ｓ３４２）、設定時間が経過したならば送り状番号を入力せよとのメッセージを表示部１５０にディスプレイし、設定時間が経過していない場合は再び受信待機（Ｓ３３０）状態に戻る。例えば、‘受領者の応答がありません。＊を二回押した後、送り状番号を入力して下さい’などのようなメッセージを表示部１５０にディスプレイすると、配達員はこれを確認し送り状番号を入力することができる。上記設定時間は使用者が自由に設定可能であるが、２０〜３０秒内に設定されることが望ましい。送り状番号が入力されると（Ｓ３４４）、制御部１９０はメモリ部１３０に保存されている送り状番号と入力された送り状番号とが一致するか否かを確認し（Ｓ３４６）、一致する場合はロック装置をロック解除する（Ｓ３５０）。
【００４３】
ロック装置がロック解除された後、配達員が宅配物を宅配保管ボックスに入れてからドアを閉めると、ロック装置１４０は自動で再びロックされ、ロック装置が再びロックされると、制御部１９０は新しいパスワード（受領用パスワード）を生成してメモリ部１３０に保存し（Ｓ３７０）、これを登録された端末機に伝送する（Ｓ３８０）。先に説明したように、この受領用パスワードは、後に宅配受領者が宅配保管ボックスに保存されている物品を取り出すために宅配保管ボックスのドアを開けようとする場合に使用されることができる。宅配受領者がドアを開放する過程は、例えば宅配受領者が自身の端末機に伝送された受領用パスワードを入力部１１０を通して入力し、制御部１９０が入力された受領用パスワードとメモリ部１３０に保存されている受領用パスワードとを比較して一致すればロック装置１４０に開放命令を伝送することにより開放されることができる。
【００４４】
一方、宅配受領者が受領用パスワードを入力してドアを開放した後は、宅配保管ボックスが再び使用されることができるように初期化されるのが望ましい。すなわち、例えば制御部によって、宅配受領人が事前に入力した事前設定パスワード及び受領用パスワードがメモリ部から消去され新たに保存できる状態に切り換えられるように制御されることができる。但し、該当宅配保管ボックスを利用する使用者達の端末機番号は消去されてはならない。このような初期化状態ではドアが閉められてもロック装置が自動で作動しないように構成することができる。
【００４５】
上記のようなプロセスによって、個人宅配保管ボックスの場合は２回以上宅配を受領することが可能である。自動でロック装置がロックされるため、以後二番目の配達員が訪問する場合も同一の手順で検証用パスワード（例えば、宅配受領者の電話番号または安心宅配番号）を入力する手順を経て認証されると、宅配保管ボックスを開いて宅配を入れておくことができる。
【００４６】
二番目の配達員が宅配物を宅配保管ボックスに入れてからドアを閉めると、ロック装置１４０が再び自動でロックされ、先の説明と同一の方式で、宅配受領者は新たに生成された受領用パスワードを受信することになる。以後、宅配を受領しようとする場合、上記新たに受信した受領用パスワードを押して宅配保管ボックスを開くことができる。
【００４７】
図４は、パスワードを受信した宅配受領者の移動端末機でなされる認証手順を示したフローチャートである。
【００４８】
上記移動端末機は、アプリケーションのインストールが可能なスマートフォン端末機であることが望ましく、後述する一連の手順はアプリケーションによって具現されることができる。
【００４９】
先ず、配達員が入力した検証用パスワードが受信されると（Ｓ４１０）、端末機に保存されている既設定パスワードと比較する（Ｓ４２０）。先に考察したように、検証用パスワードは宅配受領者の電話番号または安心宅配番号であり得る。したがって、端末機には検証用パスワードに相応する既設定パスワード（例えば、宅配受領者の電話番号または安心宅配番号）が保存されていなければならない。
【００５０】
端末機に伝送されてきた検証用パスワードと端末機に保存されている既設定パスワードとを比較して一致するかを判断し（Ｓ４３０）、一致すれば通知メッセージを表示し（Ｓ４４０）、一致しなければ再び最初の手順に戻る。すなわち、検証用パスワードが受信されても、端末機に保存されている既設定パスワードと一致する場合にだけ通知メッセージを表示する。例えば、‘宅配保管ボックスからパスワード０１０−１２３４−５６７８が受信されました’というメッセージを表示することができる。このような事前認証手順により、集団型宅配保管ボックス（例えば、複数の使用者が一つ以上の宅配保管ボックスを共有して使用する形態）では、多数の登録された使用者に検証用パスワードを伝送するが、受信側では実際の受領人だけが伝送された検証用パスワードを確認し認証手順を経ることになる。このようにして集団型宅配保管ボックスにも本発明を適用することが可能である。
【００５１】
通知メッセージが表示されると、宅配受領者は表示された検証用パスワードを確認し認証信号を入力する。このとき宅配受領者は、検証用パスワードだけでなく映像録画部によって撮影された動画も共に確認して実際に配達員が検証用パスワードを入力したかを同時に確認することができる。宅配受領者によって認証信号が入力されると（Ｓ４５０）、端末機は認証信号を宅配保管ボックスに伝送し（Ｓ４６０）、 手順を終了する。選択的に、もし宅配受領者がメッセージを確認できなかったり、またはその他の理由で既に設定された時間が経過するまで認証信号が入力されなければ（Ｓ４５２）、端末機ではもう一度受信された検証用パスワードが保存されている既設定パスワードと一致するかを検証（Ｓ４５４）して、一致すれば認証信号を自体的に伝送した後（Ｓ４６０）、手順を終了するように構成してもよい。
【００５２】
代案として、段階（Ｓ４５２）で既に設定された時間が経過したとき、段階（Ｓ４５４）を経ずに、段階（Ｓ４６０）が実行されるように構成されてもよい。
【００５３】
一方、段階（Ｓ４５２及びＳ４５４）は、図３に関連して説明した段階（Ｓ３４２；Ｓ３４４；Ｓ３４６）と代案的な関係として実施されることができる。すなわち、宅配保管ボックスでの手順が段階（Ｓ３４２；Ｓ３４４；Ｓ３４６）を含んでなされ使用者端末機での手順は段階（Ｓ４５２及びＳ４５４）が省略されて実施されてもよく、逆に、使用者端末機での手順が段階（Ｓ４５２及びＳ４５４）を含んでなされ宅配保管ボックスでの手順は段階（Ｓ３４２；Ｓ３４４；Ｓ３４６）が省略されて実施されてもよい。
【００５４】
上記のような認証手順を経ることにより、アパートなどのようなところで使用され得る集団型無人宅配保管ボックスにも本発明を適用することが可能である。集団型宅配保管ボックスの場合、一つの保管ボックスを複数の使用者が共有して使うことができ、また一人が２〜３箇所の保管ボックスを指定して使うことができる。このような場合、宅配物注文時にメモなどのような備考欄に本人の指定する保管ボックス番号を予め記入して配達員が保管ボックスを探しやすくする。
【００５５】
例えば、１番宅配保管ボックスをＡ、Ｂ、及びＣの三人が使用し、三人全員の電話番号が１番宅配保管ボックスに登録されている場合、配達員が検証用パスワード（例えば、宅配受領者の電話番号や安心宅配番号）を１番宅配保管ボックスに入力すると、三人全員に入力された検証用パスワードを伝送する。１番宅配保管ボックスでは登録された使用者全員に伝送を行うが、使用者の移動端末機では、先に考察したような事前認証手順を経て、入力された検証用パスワードが使用者の端末機に保存されている既設定パスワードと一致する場合にだけ通知メッセージが表示されるようにアプリケーションが具現されるため、実際の受領人だけが入力された検証用パスワードを確認することができる。例えば、もし宅配保管ボックス使用者Ａの電話番号が０１０−１２３４−５６７８である場合、配達員が検証用パスワードとして０１０−１２３４−５６７８番号を入力したとき、宅配保管ボックスではＡ、Ｂ、Ｃの全員に番号を伝送するが、番号が一致するＡだけがこれを受信することができる。
【００５６】
一方、宅配物の瑕疵などによって返品しなければならない場合も、本発明による宅配保管ボックスが使用可能であり、一実施例として次のように具現されることができる。
【００５７】
（１）宅配保管ボックスに返品する物品を入れる段階： 使用者が空いている宅配保管ボックスに返品する物品を入れてドアを閉める。
【００５８】
（２）返品用パスワードを入力する段階： 使用者は入力部を通して返品用パスワードを入力することができる。入力された返品用パスワードは、メモリ部１３０に保存されることができる。代案として、使用者の端末機に具現されたアプリケーションを通して返品用パスワードを入力することもできる。一実施例として、使用者が端末機上のアプリケーションを実行させると返品タグが現れ、この返品タグをクリックし返品用パスワードを入力すると、入力された返品用パスワードが宅配保管ボックスに伝送されてメモリ部１３０に入力されることができる。返品用パスワードがメモリ部に保存されると、制御部１９０はロック装置１４０をロックするように制御することができる。
【００５９】
（３）返品用パスワード伝達段階： 上記（２）の段階で使用する返品用パスワードを配達員に伝達する段階であり、使用者が物品を注文した業者のウェブページ上にメモとして残すか宅配会社に直接知らせることにより、最終的に返品する品物を回収して行く配達員に返品用パスワードが伝達されるようにする段階である。集団型宅配保管ボックスの場合は、返品する物品を保存する宅配保管ボックスの番号も共に知らせることが望ましい。一方、本段階は上記（２）の段階以前に実行されてもよい。
【００６０】
（４）返品用物品回収段階： 配達員が受けた返品用パスワードを保管ボックスに入力して返品用物品を回収して行く段階である。宅配保管ボックスのメモリ部には複数のパスワードが保存されていることもあり得るため、表示部には例えば‘返品用パスワードの入力をご希望ならば、＊を二回押してパスワードを入力して下さい’のようなメッセージを表示して、配達員が現在入力するパスワードが返品用パスワードであることを認知できるように構成するのが望ましい。制御部１９０は、入力された返品用パスワードをメモリ部１３０に保存されている返品用パスワードと比較して、一致するならば、ロック装置１４０がロック解除されるようにすることができる。
【００６１】
（５）初期化段階：
正確な返品用パスワードが入力されてロック装置１４０がロック解除された後は、宅配保管ボックスが宅配物を受け取れるように、又は他の返品のために使用できるように、先の説明の如く初期化されることができる。
【００６２】
これまで本発明による具体的な実施例に関して説明したが、本発明の範囲から逸脱しない限度内では様々な変形が可能であることは勿論である。したがって、本発明の範囲は、説明された実施例に局限されて定められてはならず、後述する特許請求の範囲だけではなく、この特許請求の範囲と均等なものによって定められるべきである。
【産業上の利用可能性】
【００６３】
本発明による宅配保管ボックス及びこれを用いた宅配受領方法とパスワード認証方法によれば、宅配受領者が不在中の場合も宅配を紛失する恐れなしに安全に宅配を受領することができ、配達員や宅配受領者以外には知り得ない安心宅配番号または送り状番号を使用することで、より安全に宅配を受領することができ、別途のサーバーを構築する必要がないため低コストで安全な宅配受領システムを構築することができ、集団型宅配保管ボックスに適用可能であり、一つの宅配保管ボックスに多数の使用者が登録されている場合も実際の受領者だけが受領事実を確認しパスワードを認証することができるという点で、既存技術の限界を超えることにより、関連技術に対する利用だけではなく適用される装置の市販または営業の可能性が十分であるばかりか、現実的に明白に実施可能な程度であるため、産業上の利用可能性がある発明である。
【符号の説明】
【００６４】
１００  宅配保管ボックス
２００  移動端末機
１１０  入力部
１２０  通信モジュール
１３０  メモリ部
１４０  ロック装置
１５０  表示部
１６０  映像録画部
１７０  警告信号発生部
１８０  電源供給部
１９０  制御部
【図１】
2017527717.tif 000003
【図２】
2017527717.tif 000004
【図３】
2017527717.tif 000005
【図４】
2017527717.tif 000006
【手続補正書】
【提出日】平成28年11月29日(2016.11.29)
【手続補正１】
【補正対象書類名】明細書
【補正対象項目名】全文
【補正方法】変更
【補正の内容】
【発明の詳細な説明】
【技術分野】
【０００１】
本発明は、宅配保管ボックスに関し、より具体的には、有無線通信モジュールを装着した宅配保管ボックス及びこれを用いた宅配受領方法に関する。
【背景技術】
【０００２】
宅配サービスは、物品を発送する差出人が宅配運送可能な場所で宅配運送を要請すると、宅配会社は物品を受け取り受領人の住所地まで行って物品を伝達する方式を取っている。
【０００３】
一般に、宅配物の伝達時、受領人本人や周辺の人に伝達することになる。しかし、受領人本人や周辺の人がいない場合は、宅配物の伝達が困難である。アパートの場合、警備室または管理室を通して宅配物を受け取ることもあるが、受領人本人や周辺の人がいない場合は、宅配物の伝達のために配達員が数回再訪問しなければならないという問題点がある。また、受領人は宅配を受け取るために待機しなければならないという不便もある。
【０００４】
一方、最近になって配達員を装って家庭内に侵入し各種犯罪行為を犯す事例が増えていて、これを源泉的に予防できる方法も求められている。したがって、受領人の不在時も宅配物を受領することができ、家庭または職場に受領者がいるとしても配達員と直接対面することなく宅配物を安全に受け取ることができる宅配システムが至急求められている。
【０００５】
従来にも無人宅配サービスに関する特許が一部出願されている。例えば、下記特許文献１では、固有の識別情報を有し近距離無線通信を介したパスワード入力時に開放される保管ボックス；上記識別情報及び電話番号を含むパスワード要請信号をネットワークを介して送信して上記パスワードを受信し、受信された上記パスワードを上記保管ボックスに近距離無線通信方式で入力するスマート端末；及び、上記スマート端末の電話番号、上記保管ボックスの識別情報及びパスワードが保存され、上記スマート端末から上記パスワード要請信号が受信された場合、上記パスワード要請信号に含まれた電話番号が既に保存されている上記スマート端末の電話番号と一致するかを確認し、上記電話番号が一致する場合、上記パスワード要請信号に含まれた上記識別情報に従って上記パスワードを検索し上記スマート端末に送信する無人宅配管理サーバーを含む無人宅配保管ボックスシステムが開示されている。
【先行技術文献】
【特許文献】
【０００６】
【特許文献１】韓国公開特許公報第１０−２０１５−００２０９２６号（２０１５.０２.２７）
【発明の概要】
【発明が解決しようとする課題】
【０００７】
本発明が解決しようとする課題は、宅配保管ボックスにモノのインターネット（Internet  of  Things：ＩｏＴ）技術を結び付けて宅配保管ボックスが受領者端末機と直接通信し、宅配受領者の命令によってドアを開閉することができる宅配保管ボックス及びこれを用いた宅配受領方法を提供することである。
【課題を解決するための手段】
【０００８】
上記技術的課題を解決するために、本発明の実施例による宅配保管ボックスは、保存スペース、上記保存スペースを開閉するためのドア、及び上記ドアをロックすることができるロック装置を含む。上記宅配保管ボックスは、さらに、パスワードを入力できる入力部；使用者の端末機番号及び安心宅配番号を保存するメモリ部；上記入力部から入力されるパスワードを有無線通信網を介して上記メモリ部に保存されている端末機に伝送する通信モジュール；及び、上記メモリ部に保存されている端末機から認証信号が受信されると、ロック装置がロック解除されるように制御する制御部；を含むことができる。
【０００９】
上記宅配保管ボックスは、宅配保管ボックスの状態を表示する表示部；及び、宅配保管ボックス周辺の動きが感知されると録画を始める映像録画部；を更に含むことができる。
【００１０】
上記メモリ部は送り状番号を更に保存し、上記制御部は、既に設定された時間の間に上記認証信号が受信されなければ、送り状番号を入力せよとのメッセージが上記表示部に出力されるように制御し、送り状番号が入力されると、上記保存されている送り状番号と一致するか否かを確認し、一致する場合は上記ロック装置がロック解除されるように制御することができる。
【００１１】
上記制御部は、上記ロック装置がロック解除された後に再びロックされる場合は、新しいパスワードを生成するように制御することができる。
【００１２】
また、本発明の実施例による宅配保管ボックスを用いた宅配受領方法は、パスワードの入力を受ける段階；上記入力されたパスワードを有無線インターネットを介して予め登録された端末機に伝送する段階；及び、上記登録された端末機から認証信号が受信されるとロック装置をロック解除する段階；を含むことができる。
【００１３】
上記宅配受領方法は、上記ロック装置がロック解除された後、再びロックされると新しいパスワードを生成する段階；及び、上記生成されたパスワードを登録された端末機に伝送する段階；を更に含むことができる。
【００１４】
上記認証信号は、上記登録された端末機で生成される信号であり、使用者が受信された番号を確認して入力した信号であるか、端末機が端末機に保存されている番号と比較して一致する場合に端末機が自ら発生させた信号であり得る。
【００１５】
上記パスワードの伝送後、既に設定された時間の間に認証信号が受信されない場合は、送り状番号の入力を受け、入力された送り状番号と保存されている送り状番号とを比較して一致する場合、上記認証信号を発生させることができる。
【００１６】
また、本発明の実施例によるパスワード認証方法は、有無線通信モジュールを含む宅配保管ボックスから、パスワードを移動端末機で受信してこれを認証するパスワード認証方法であり、インターネットを介してパスワードを受信する段階；上記受信されたパスワードが上記移動端末機に保存されているパスワードと一致するか否かを確認する段階；確認の結果、一致する場合、パスワードが受信されたことを表示する段階；及び、使用者から認証信号が入力されると認証信号を上記宅配保管ボックスに伝送する段階；を含むことができる。
【００１７】
上記認証方法は、既に設定された時間の間に使用者から認証信号が入力されなければ、受信されたパスワードと保存されているパスワードとを比較して一致する場合は認証信号を上記宅配保管ボックスに伝送する段階を含むことができる。
【００１８】
上記認証信号は、上記移動端末機の電話番号または安心宅配番号であり得る。
【発明の効果】
【００１９】
本発明によれば、宅配受領者が不在中の場合も宅配を紛失する恐れなしに安全に宅配を受領することができる。
【００２０】
また、本発明によれば、配達員や宅配受領者以外には知り得ない安心宅配番号または送り状番号を使用することで、より安全に宅配を受領することができる。
【００２１】
また、本発明によれば、集団型宅配保管ボックスに適用することができ、一つの宅配保管ボックスに多数の使用者が登録されている場合も実際の受領者だけが受領事実を確認しパスワードを認証することができる。
【図面の簡単な説明】
【００２２】
【図１】本発明の一実施例による宅配保管ボックスシステムを概略的に示した構成図である。
【図２】本発明の一実施例による宅配保管ボックスのブロック図である。
【図３】本発明の一実施例による宅配保管ボックスを用いた宅配受領方法を示したフローチャートである。
【図４】本発明の一実施例によるパスワード認証方法を示したフローチャートである。
【発明を実施するための形態】
【００２３】
以下では本発明の具体的な実施例を図面と共に詳しく説明する。しかし、本発明の思想が提示される実施例に制限されるわけではなく、他の構成要素の追加、変更、削除などによって、退歩的な他の発明や、本発明の思想の範囲内に含まれる他の実施例を容易に提案することができる。
【００２４】
本発明で用いられる用語は、なるべく現在広く用いられている一般的な用語を選択したが、特定の場合は出願人が任意に選定した用語もあり、この場合は該当する発明の説明部分で詳しくその意味を記載したため、単純な用語の名称ではない用語が有する意味として本発明を把握しなければならないことを明記しておく。
【００２５】
図１は、本発明の実施例による宅配保管システムの構造を示したブロック図であり、図２は、宅配保管ボックスの詳細ブロック図である。
【００２６】
本発明による宅配保管システムは、宅配保管ボックス１００と移動端末機２００を含んで構成される。
【００２７】
上記宅配保管ボックス１００は、入力部１１０、通信モジュール１２０、メモリ部１３０、ロック装置１４０、表示部１５０、映像録画部１６０、警告信号発生部１７０、電源供給部１８０、及び制御部１９０を含むことができる。
【００２８】
上記入力部１１０は、例えばキーパッドで構成され、ドアを開閉するためのパスワード及び各種情報を入力することができる。本明細書で用いられるパスワードは、次に説明する５種類のパスワードを含む。一番目は、宅配受領者が予め設定したパスワード（以下、‘事前設定パスワード'と言う）であり、例えば受領者の電話番号、安心宅配番号、または送り状番号であり得る。もし宅配保管ボックスに何らの物品も保管されなければ、使用者はこのパスワードで宅配保管ボックスを開くことができる。二番目は、配達員が宅配保管ボックスのドア開放の許諾を受けるために入力部１１０を通して入力するパスワード（以下、‘検証用パスワード'と言う）である。三番目は、宅配受領者の端末機に保存され、配達員が入力した検証用パスワードが正確かを判別するのに用いられるパスワード（以下、‘既設定パスワード'と言う）である。四番目は、後述するように、一番目の宅配が完了した後、制御部１９０によって新たに生成されたパスワード（以下、‘受領用パスワード'と言う）であり、これは宅配保管ボックスの使用者、すなわち宅配受領者が宅配物の保管されている宅配保管ボックスを開くために使用するパスワードである。五番目は、宅配物の瑕疵や変心などを理由に品物を返品しようとする時に用いられるパスワード（以下、‘返品用パスワード'と言う）であり、使用者が宅配物を注文した業者や宅配会社に伝達し配達員がこのパスワードを通して宅配保管ボックスを開くことができるようにする。
【００２９】
上記通信モジュール１２０は、配達員によって入力部１１０から入力された検証用パスワードを有無線通信網を介してインターネットに接続して予め登録された端末機に伝送する。登録された端末機は、宅配受領者の移動端末機であり得る。登録された端末機が複数個の場合、複数個の端末機全てに上記入力部１１０から入力された検証用パスワードを伝送する。本発明では、インターネット接続が可能な有無線ＬＡＮカードのような通信モジュールを使用することにより、宅配受領者にショートメッセージ（ＳＭＳ）を発送するのではなくインターネットでデータを伝送することができる。したがって、単純に検証用パスワードなどのような情報を伝送するだけでなく、映像録画部１６０に録画される動画も通信モジュール１２０を介してリアルタイムで伝送することができる。
【００３０】
上記メモリ部１３０には、配達員の訪問前に、例えば入力部１１０を通して、宅配受領人の電話番号が保存される。すなわち、登録された端末機の電話番号が保存される。例えば、一つの宅配保管ボックスを複数の使用者が共同で使用するなどの場合は、上記メモリ部１３０に複数個の端末機番号が保存されることもできる。その他にも安心宅配番号や送り状番号を含んで事前設定パスワードが保存されることができ、後述するように受領用パスワードや返品用パスワードが保存されることができる。
【００３１】
上記ロック装置１４０は、宅配保管ボックスのドアのロックまたは開放を可能にする装置であり、制御部１９０の制御によって開放信号が入力されるとドアを開放し、開放されたドアが閉まると再び自動でロックできるようにする。配達員が入力した検証用パスワード（例えば、宅配受領者の電話番号または安心宅配番号）が宅配受領者の端末機に伝送されると、宅配受領者はこれを確認し、物品注文時に通知した（例えば、宅配注文時に該当ウェブページにメモとして残しておいた）自身の電話番号または安心宅配番号と一致する場合、ドア開放命令を宅配保管ボックス１００に伝送し、宅配保管ボックス１００は通信モジュール１２０を介してこれを受信しドアを開放するのである。
【００３２】
上記表示部１５０は、宅配保管ボックス１００内の宅配物保管有無のような情報を表示する部分であり、宅配物保管有無によって‘保管中’または‘空’というメッセージが表示されることができる。表示部１５０は、ＬＣＤパネルなどのディスプレイ素子が使用され得る。また、表示部１５０は、タッチスクリーン形態に製作されることができ、そのときは上記入力部１１０が表示部１５０の一部分に形成されることができる。表示部１５０は、上記メッセージの他にも必要な色々なメッセージを表示することができる。例えば、配達員が入力した検証用パスワードを登録された端末機に伝送した後、所定時間経過後もドア開放命令信号が受信されなければ、‘＊を二回押した後、送り状番号を入力して下さい’というメッセージを表示することもできる。送り状番号が入力されると、制御部１９０は入力された送り状番号とメモリ部１３０に保存されている送り状番号とを比較して一致するか否かを確認し、一致する場合はロック装置１４０がロック解除されるように制御する。
【００３３】
上記映像録画部１６０は、カメラモジュール及び保存部を含む映像録画装置であり、宅配保管ボックス周辺の映像を撮影し録画する。この時、撮影中というメッセージをＬＥＤランプで表示して訪問者がカメラ動作中であることを認知できるようにすることが可能である。映像録画部１６０は、宅配保管ボックスの周囲に人が接近したり動きが感知されるときにだけ録画し、録画が始まると通信モジュール１２０を介して録画される内容をリアルタイムで登録された端末機に伝送して使用者がこれを確認できるようにすることが可能である。選択的に、制御部１９０は、入力部１１０から入力信号が入力される場合に限ってのみ、録画を開始したり録画される内容を登録された端末機に伝送したりすることもできる。また、動きを感知するためにはセンサーが必要であるが、センサーは、上記映像録画部１６０と一体形成されてもよく、別途形成されて宅配保管ボックス１００のある一部分に装着されてもよい。映像録画部１６０を通して宅配保管ボックス１００の周辺状況を録画することにより、訪問者がカメラを毀損しても訪問者を確認することができる。
【００３４】
上記警告信号発生部１７０は、指定された回数以上のパスワード入力エラーまたはドアを無断で開閉しようとする場合に警告信号を発生させることができる。警告信号発生部１７０は、ＬＥＤランプのような点滅灯やスピーカーなどが使用され得る。警告信号が発生する場合、上記通信モジュール１２０は警告信号が発生したことを上記登録された端末機に伝送することができる。警告発生メッセージが上記表示部１５０に表示されることもできる。
【００３５】
上記電源供給部１８０は、宅配保管ボックス１００の作動に必要な電源を供給するための装置であり、外部から印加される交流電源またはバッテリーが使用され得る。
【００３６】
上記制御部１９０は、宅配保管ボックス１００の全体動作を制御する部分であり、先に説明した各構成が動作できるように全般的な動作を制御する。
【００３７】
図３は、本発明の一実施例による宅配保管ボックスの動作方法を示したフローチャートである。
【００３８】
以下では、図２及び図３を参考に、本発明による宅配保管ボックスの動作方法を説明することにする。
【００３９】
配達員が宅配保管ボックス１００の近くに接近すると、映像録画部１１０に装着されたセンサーが動きを感知して録画が開始され、制御部１９０は録画が開始されることを通信モジュール１２０を介して宅配受領者に伝送する。このような録画開始信号の伝送は、後述する検証用パスワードの伝送と共になされるのが望ましいが、これに限定されるものではない。このとき、宅配受領者の電話番号は先に考察したようにメモリ部１３０に保存されているため、保存されている番号に伝送することができる。複数個の電話番号が保存されている場合は複数個の番号に伝送することも可能である。
【００４０】
配達員は入力部１１０を通して検証用パスワード（例えば、宅配受領者の電話番号または安心宅配番号）を入力する（Ｓ３１０）。このとき、検証用パスワード（例えば、宅配受領者の電話番号または安心宅配番号）は、上述のように物品注文時にメモとして残しておいて配達員が予め知り得るようにすることが望ましい。配達員が検証用パスワード（例えば、宅配受領者の電話番号または安心宅配番号）を入力すると、制御部１９０が通信モジュール１２０を介して宅配受領者に入力された検証用パスワードを伝送する（Ｓ３２０）。複数個の電話番号が使用者として登録されているならば、複数個の電話番号全てに入力された検証用パスワードを伝送することができる。一方、図示していないが、配達員が検証用パスワードとして宅配受領者の電話番号を入力する場合、該当電話番号にだけ検証用パスワードを伝送するように構成することも可能である。
【００４１】
検証用パスワードが伝送された後は、検証用パスワードを受信した端末機で認証手順を経て認証信号を宅配保管ボックスに伝送する。認証手順については後述することにする。宅配保管ボックス１００は、配達員が入力した検証用パスワード伝送後に認証信号の受信を待機し（Ｓ３３０）、認証信号が受信されると（Ｓ３４０）、ロック装置をロック解除する（Ｓ３５０）。通信障害などの理由で認証信号が受信されなければ、所定の設定時間が経過したかを判断し（Ｓ３４２）、設定時間が経過したならば送り状番号を入力せよとのメッセージを表示部１５０にディスプレイし、設定時間が経過していない場合は再び受信待機（Ｓ３３０）状態に戻る。例えば、‘受領者の応答がありません。＊を二回押した後、送り状番号を入力して下さい’などのようなメッセージを表示部１５０にディスプレイすると、配達員はこれを確認し送り状番号を入力することができる。上記設定時間は使用者が自由に設定可能であるが、２０〜３０秒内に設定されることが望ましい。送り状番号が入力されると（Ｓ３４４）、制御部１９０はメモリ部１３０に保存されている送り状番号と入力された送り状番号とが一致するか否かを確認し（Ｓ３４６）、一致する場合はロック装置をロック解除する（Ｓ３５０）。
【００４２】
ロック装置がロック解除された後、配達員が宅配物を宅配保管ボックスに入れてからドアを閉めると、ロック装置１４０は自動で再びロックされ、ロック装置が再びロックされると、制御部１９０は新しいパスワード（受領用パスワード）を生成してメモリ部１３０に保存し（Ｓ３７０）、これを登録された端末機に伝送する（Ｓ３８０）。先に説明したように、この受領用パスワードは、後に宅配受領者が宅配保管ボックスに保存されている物品を取り出すために宅配保管ボックスのドアを開けようとする場合に使用されることができる。宅配受領者がドアを開放する過程は、例えば宅配受領者が自身の端末機に伝送された受領用パスワードを入力部１１０を通して入力し、制御部１９０が入力された受領用パスワードとメモリ部１３０に保存されている受領用パスワードとを比較して一致すればロック装置１４０に開放命令を伝送することにより開放されることができる。
【００４３】
一方、宅配受領者が受領用パスワードを入力してドアを開放した後は、宅配保管ボックスが再び使用されることができるように初期化されるのが望ましい。すなわち、例えば制御部によって、宅配受領人が事前に入力した事前設定パスワード及び受領用パスワードがメモリ部から消去され新たに保存できる状態に切り換えられるように制御されることができる。但し、該当宅配保管ボックスを利用する使用者達の端末機番号は消去されてはならない。このような初期化状態ではドアが閉められてもロック装置が自動で作動しないように構成することができる。
【００４４】
上記のようなプロセスによって、個人宅配保管ボックスの場合は２回以上宅配を受領することが可能である。自動でロック装置がロックされるため、以後二番目の配達員が訪問する場合も同一の手順で検証用パスワード（例えば、宅配受領者の電話番号または安心宅配番号）を入力する手順を経て認証されると、宅配保管ボックスを開いて宅配を入れておくことができる。
【００４５】
二番目の配達員が宅配物を宅配保管ボックスに入れてからドアを閉めると、ロック装置１４０が再び自動でロックされ、先の説明と同一の方式で、宅配受領者は新たに生成された受領用パスワードを受信することになる。以後、宅配を受領しようとする場合、上記新たに受信した受領用パスワードを押して宅配保管ボックスを開くことができる。
【００４６】
図４は、パスワードを受信した宅配受領者の移動端末機でなされる認証手順を示したフローチャートである。
【００４７】
上記移動端末機は、アプリケーションのインストールが可能なスマートフォン端末機であることが望ましく、後述する一連の手順はアプリケーションによって具現されることができる。
【００４８】
先ず、配達員が入力した検証用パスワードが受信されると（Ｓ４１０）、端末機に保存されている既設定パスワードと比較する（Ｓ４２０）。先に考察したように、検証用パスワードは宅配受領者の電話番号または安心宅配番号であり得る。したがって、端末機には検証用パスワードに相応する既設定パスワード（例えば、宅配受領者の電話番号または安心宅配番号）が保存されていなければならない。
【００４９】
端末機に伝送されてきた検証用パスワードと端末機に保存されている既設定パスワードとを比較して一致するかを判断し（Ｓ４３０）、一致すれば通知メッセージを表示し（Ｓ４４０）、一致しなければ再び最初の手順に戻る。すなわち、検証用パスワードが受信されても、端末機に保存されている既設定パスワードと一致する場合にだけ通知メッセージを表示する。例えば、‘宅配保管ボックスからパスワード０１０−１２３４−５６７８が受信されました’というメッセージを表示することができる。このような事前認証手順により、集団型宅配保管ボックス（例えば、複数の使用者が一つ以上の宅配保管ボックスを共有して使用する形態）では、多数の登録された使用者に検証用パスワードを伝送するが、受信側では実際の受領人だけが伝送された検証用パスワードを確認し認証手順を経ることになる。このようにして集団型宅配保管ボックスにも本発明を適用することが可能である。
【００５０】
通知メッセージが表示されると、宅配受領者は表示された検証用パスワードを確認し認証信号を入力する。このとき宅配受領者は、検証用パスワードだけでなく映像録画部によって撮影された動画も共に確認して実際に配達員が検証用パスワードを入力したかを同時に確認することができる。宅配受領者によって認証信号が入力されると（Ｓ４５０）、端末機は認証信号を宅配保管ボックスに伝送し（Ｓ４６０）、 手順を終了する。選択的に、もし宅配受領者がメッセージを確認できなかったり、またはその他の理由で既に設定された時間が経過するまで認証信号が入力されなければ（Ｓ４５２）、端末機ではもう一度受信された検証用パスワードが保存されている既設定パスワードと一致するかを検証（Ｓ４５４）して、一致すれば認証信号を自体的に伝送した後（Ｓ４６０）、手順を終了するように構成してもよい。
【００５１】
代案として、段階（Ｓ４５２）で既に設定された時間が経過したとき、段階（Ｓ４５４）を経ずに、段階（Ｓ４６０）が実行されるように構成されてもよい。
【００５２】
一方、段階（Ｓ４５２及びＳ４５４）は、図３に関連して説明した段階（Ｓ３４２；Ｓ３４４；Ｓ３４６）と代案的な関係として実施されることができる。すなわち、宅配保管ボックスでの手順が段階（Ｓ３４２；Ｓ３４４；Ｓ３４６）を含んでなされ使用者端末機での手順は段階（Ｓ４５２及びＳ４５４）が省略されて実施されてもよく、逆に、使用者端末機での手順が段階（Ｓ４５２及びＳ４５４）を含んでなされ宅配保管ボックスでの手順は段階（Ｓ３４２；Ｓ３４４；Ｓ３４６）が省略されて実施されてもよい。
【００５３】
上記のような認証手順を経ることにより、アパートなどのようなところで使用され得る集団型無人宅配保管ボックスにも本発明を適用することが可能である。集団型宅配保管ボックスの場合、一つの保管ボックスを複数の使用者が共有して使うことができ、また一人が２〜３箇所の保管ボックスを指定して使うことができる。このような場合、宅配物注文時にメモなどのような備考欄に本人の指定する保管ボックス番号を予め記入して配達員が保管ボックスを探しやすくする。
【００５４】
例えば、１番宅配保管ボックスをＡ、Ｂ、及びＣの三人が使用し、三人全員の電話番号が１番宅配保管ボックスに登録されている場合、配達員が検証用パスワード（例えば、宅配受領者の電話番号や安心宅配番号）を１番宅配保管ボックスに入力すると、三人全員に入力された検証用パスワードを伝送する。１番宅配保管ボックスでは登録された使用者全員に伝送を行うが、使用者の移動端末機では、先に考察したような事前認証手順を経て、入力された検証用パスワードが使用者の端末機に保存されている既設定パスワードと一致する場合にだけ通知メッセージが表示されるようにアプリケーションが具現されるため、実際の受領人だけが入力された検証用パスワードを確認することができる。例えば、もし宅配保管ボックス使用者Ａの電話番号が０１０−１２３４−５６７８である場合、配達員が検証用パスワードとして０１０−１２３４−５６７８番号を入力したとき、宅配保管ボックスではＡ、Ｂ、Ｃの全員に番号を伝送するが、番号が一致するＡだけがこれを受信することができる。
【００５５】
一方、宅配物の瑕疵などによって返品しなければならない場合も、本発明による宅配保管ボックスが使用可能であり、一実施例として次のように具現されることができる。
【００５６】
（１）宅配保管ボックスに返品する物品を入れる段階： 使用者が空いている宅配保管ボックスに返品する物品を入れてドアを閉める。
【００５７】
（２）返品用パスワードを入力する段階： 使用者は入力部を通して返品用パスワードを入力することができる。入力された返品用パスワードは、メモリ部１３０に保存されることができる。代案として、使用者の端末機に具現されたアプリケーションを通して返品用パスワードを入力することもできる。一実施例として、使用者が端末機上のアプリケーションを実行させると返品タグが現れ、この返品タグをクリックし返品用パスワードを入力すると、入力された返品用パスワードが宅配保管ボックスに伝送されてメモリ部１３０に入力されることができる。返品用パスワードがメモリ部に保存されると、制御部１９０はロック装置１４０をロックするように制御することができる。
【００５８】
（３）返品用パスワード伝達段階： 上記（２）の段階で使用する返品用パスワードを配達員に伝達する段階であり、使用者が物品を注文した業者のウェブページ上にメモとして残すか宅配会社に直接知らせることにより、最終的に返品する品物を回収して行く配達員に返品用パスワードが伝達されるようにする段階である。集団型宅配保管ボックスの場合は、返品する物品を保存する宅配保管ボックスの番号も共に知らせることが望ましい。一方、本段階は上記（２）の段階以前に実行されてもよい。
【００５９】
（４）返品用物品回収段階： 配達員が受けた返品用パスワードを保管ボックスに入力して返品用物品を回収して行く段階である。宅配保管ボックスのメモリ部には複数のパスワードが保存されていることもあり得るため、表示部には例えば‘返品用パスワードの入力をご希望ならば、＊を二回押してパスワードを入力して下さい’のようなメッセージを表示して、配達員が現在入力するパスワードが返品用パスワードであることを認知できるように構成するのが望ましい。制御部１９０は、入力された返品用パスワードをメモリ部１３０に保存されている返品用パスワードと比較して、一致するならば、ロック装置１４０がロック解除されるようにすることができる。
【００６０】
（５）初期化段階：
正確な返品用パスワードが入力されてロック装置１４０がロック解除された後は、宅配保管ボックスが宅配物を受け取れるように、又は他の返品のために使用できるように、先の説明の如く初期化されることができる。
【００６１】
これまで本発明による具体的な実施例に関して説明したが、本発明の範囲から逸脱しない限度内では様々な変形が可能であることは勿論である。したがって、本発明の範囲は、説明された実施例に局限されて定められてはならず、後述する特許請求の範囲だけではなく、この特許請求の範囲と均等なものによって定められるべきである。
【産業上の利用可能性】
【００６２】
本発明による宅配保管ボックス及びこれを用いた宅配受領方法とパスワード認証方法によれば、宅配受領者が不在中の場合も宅配を紛失する恐れなしに安全に宅配を受領することができ、配達員や宅配受領者以外には知り得ない安心宅配番号または送り状番号を使用することで、より安全に宅配を受領することができ、別途のサーバーを構築する必要がないため低コストで安全な宅配受領システムを構築することができ、集団型宅配保管ボックスに適用可能であり、一つの宅配保管ボックスに多数の使用者が登録されている場合も実際の受領者だけが受領事実を確認しパスワードを認証することができるという点で、既存技術の限界を超えることにより、関連技術に対する利用だけではなく適用される装置の市販または営業の可能性が十分であるばかりか、現実的に明白に実施可能な程度であるため、産業上の利用可能性がある発明である。
【符号の説明】
【００６３】
１００  宅配保管ボックス
２００  移動端末機
１１０  入力部
１２０  通信モジュール
１３０  メモリ部
１４０  ロック装置
１５０  表示部
１６０  映像録画部
１７０  警告信号発生部
１８０  電源供給部
１９０  制御部
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
保存スペース及び上記保存スペースの開閉用ドアを備える宅配保管ボックスであり、
上記ドアをロックすることができるロック装置；
検証用パスワードを入力することができる入力部；
上記宅配保管ボックスの使用者の端末機番号、及び送り状番号を保存するメモリ部；
使用者の端末機と両方向通信を行う通信モジュール；
上記宅配保管ボックスの状態を表示することができる表示部；及び、
制御部；を含み、
上記制御部は、
上記入力部を通して入力された検証用パスワードを上記通信モジュールを介して予め登録された端末機に伝送し、
上記検証用パスワードの伝送後、既に設定された時間内に上記検証用パスワードの伝送を受けた端末機から認証信号が受信されると、上記ロック装置をロック解除し、
上記検証用パスワードの伝送後、既に設定された時間内に上記パスワードの伝送を受けた端末機から認証信号が受信されなければ、送り状番号を入力せよとのメッセージを上記表示部に表示し、
送り状番号が入力されると、入力された送り状番号と上記メモリ部に予め保存されている送り状番号とを比較して、一致する場合は上記ロック装置をロック解除するように制御する、宅配保管ボックス。
【請求項２】
宅配保管ボックス周辺の動きが感知されると録画を始める映像録画部を更に含むことを特徴とする請求項１に記載の宅配保管ボックス。
【請求項３】
上記制御部は、上記ロック装置がロック解除された後に再びロックされる場合は、受領用パスワードを生成するように制御することを特徴とする請求項１に記載の宅配保管ボックス。
【請求項４】
宅配保管ボックスを用いた宅配受領方法において、
上記宅配保管ボックスが入力部、メモリ部、表示部、通信モジュール、保存スペース、上記保存スペースを開閉するためのドア、及び上記ドアをロックすることができるロック装置を含み、
上記入力部を通して検証用パスワードの入力を受ける段階；
上記入力された検証用パスワードを上記通信モジュールを介して予め登録された端末機に伝送する段階；
上記検証用パスワードの伝送後、既に設定された時間内に上記登録された端末機から認証信号が受信されると、ロック装置をロック解除し、既に設定された時間内に認証信号が受信されなければ、送り状番号を入力せよとのメッセージを上記表示部に表示する段階；
上記入力部を通して送り状番号の入力を受ける段階；及び
入力された送り状番号と上記メモリ部に予め保存されている送り状番号とを比較して、一致する場合は上記ロック装置をロック解除する段階；を含むことを特徴とする宅配保管ボックスを用いた宅配受領方法。
【請求項５】
上記ロック装置がロック解除された後、再びロックされると、受領用パスワードを生成する段階；及び
上記生成された受領用パスワードを登録された端末機に伝送する段階；を更に含むことを特徴とする請求項４に記載の宅配保管ボックスを用いた宅配受領方法。
【請求項６】
有無線通信モジュールを含む宅配保管ボックスから、検証用パスワードを移動端末機で受信してこれを認証するパスワード認証方法であり、
インターネットを介して検証用パスワードを受信する段階；
上記受信された検証用パスワードが上記移動端末機に保存されている既設定パスワードと一致するか否かを確認する段階；
確認の結果、一致する場合、検証用パスワードが受信されたことを表示する段階；及び
使用者から認証信号が入力されると認証信号を上記宅配保管ボックスに伝送する段階；
を含むことを特徴とするパスワード認証方法。
【請求項７】
既に設定された時間の間に使用者から認証信号が入力されなければ、受信された検証用パスワードと保存されている既設定パスワードとを比較して、一致する場合は認証信号を上記宅配保管ボックスに伝送する段階を含むことを特徴とする請求項６に記載のパスワード認証方法。
【国際調査報告】
2017527717.tif 000007
2017527717.tif 000008
2017527717.tif 000009
2017527717.tif 000010